(57)【特許請求の範囲】
【請求項１】
発呼者により使用されるプロトコルに関する情報を搬送する信号サポートを伴わずに発呼者から固定ネットワークを経てコールを受け取ったときに移動通信ネットワークに移動着信コールを確立するための方法において、
上記移動通信ネットワークの加入者のディレクトリ番号へのコールを受け取り、このディレクトリ番号は、固定ネットワークを介しての上記発呼者との通信のための２つ以上の別々のプロトコルをサポートするデータサービスに指定されるものであり；
上記のディレクトリ番号にリンクされるサービス定義を加入者データから検索し、上記定義のプロトコルパラメータは、中性の値、又は別の所定の値を有し；
上記サービス定義に基づいて上記コールに対してインターワーキングファンクションリソースを指定し、上記プロトコルパラメータの上記中性の値又は別の所定の値によりプロトコルの定義を無視し；
上記指定されたインターワーキングファンクションリソースにより固定ネットワークから受信したコールの固定ネットワークトラフィックチャンネルを監視し；
発呼者により使用されるプロトコルを該使用されるプロトコルの信号特性に基づいて識別し；そして
上記発呼者との通信のために上記固定ネットワークトラフィックチャンネルにおいて上記識別されたプロトコルを使用するように上記指定されたインターワーキングファンクションを構成する；
という段階を含むことを特徴とする方法。
【請求項２】
固定ネットワークトラフィックチャンネルからＶ．１１０同期フレームが受信された場合には、発呼者のプロトコルをＣＣＩＴＴ Ｖ．１１０レート適応プロトコルとして識別し；そして
Ｖ．１１０プロトコルを使用するように上記指定されたインターワーキングファンクションリソースを構成する；
という段階を含む請求項１に記載の方法。
【請求項３】
固定ネットワークトラフィックチャンネルからＶ．１２０フレームフラグが受信された場合には、発呼者のプロトコルをＣＣＩＴＴ Ｖ．１２０レート適応プロトコルとして識別し；そして
Ｖ．１２０プロトコルを使用するように上記指定されたインターワーキングファンクションリソースを構成する；
という段階を含む請求項１に記載の方法。
【請求項４】
固定ネットワークトラフィックチャンネルからＶ．１２０フレームフラグを受け取り；
Ｖ．１２０フレームフラグを別の固定ネットワークトラフィックチャンネルに送信し；
Ｖ．１２０プロトコルに基づくデータリンク設定メッセージが上述最初に述べた固定ネットワークトラフィックチャンネルから受け取られた場合には、発呼者のプロトコルをＣＣＩＴＴ Ｖ．１２０レート適応プロトコルとして識別し；そして
Ｖ．１２０プロトコルを使用するように上記指定されたインターワーキングファンクションリソースを構成する；
という段階を含む請求項１に記載の方法。
【請求項５】
発呼者により使用されるプロトコルに関する情報を搬送する信号サポートを伴わずに発呼者(TE)から固定ネットワークを経てコールを受け取ったときに移動通信ネットワークに移動着信データコールを確立するための構成体において、
移動通信ネットワークの加入者データベースは、固定ネットワークに向かう２つ以上の別々のプロトコルを使用する加入者のデータサービスに対して定義された１つのディレクトリ番号を有し、上記ディレクトリ番号にリンクされるサービス定義のプロトコルパラメータは、中性の値又は別の所定の値を有し；
移動ネットワークは、上記ディレクトリ番号へなされる移動着信(MS)コールにおいて、サービス定義に基づいてインターワーキングファンクション装置を指定するが、上記プロトコルパラメータの中性値又は別の所定の値により上記固定ネットワークの方向において上記別々のプロトコルのいずれかを使用するように該インターワーキングファンクション装置を構成せず、；そして
上記指定されたインターワーキングファンクション装置は、固定ネットワークから受信されるコールの固定ネットワークトラフィックチャンネルを監視し、発呼者により使用されるプロトコルを該使用されるプロトコルの信号特性に基づいて識別し、そして上記発呼者に向かい上記識別されたプロトコルを使用するように上記インターワーキングファンクション装置を構成することを特徴とする構成体。
【請求項６】
発呼者により使用されるプロトコルは、ＣＣＩＴＴ Ｖ．１１０レート適応プロトコルであり、そしてプロトコルの上記信号特性は、Ｖ．１１０信号フレームを含む請求項５に記載の構成体。
【請求項７】
発呼者により使用されるプロトコルは、ＣＣＩＴＴ Ｖ．１２０レート適応プロトコルであり、そしてプロトコルの上記信号特性は、Ｖ．１２０フレームフラグ又はＶ．１２０データリンク設定メッセージを含む請求項５に記載の構成体。
【請求項８】
発呼者により使用されるプロトコルに関する情報を搬送する信号サポートを伴わずに発呼者から固定ネットワークを経てコールを受け取ったときにプロトコル適応を達成するための移動通信ネットワークのインターワーキングファンクション装置において、
このインターワーキングファンクション装置は、移動着信コールにおいて、加入者データベースから得たサービス定義に基づき該コールに対してインターワーキングファンクションリソースを指定するが、上記サービス定義のプロトコルパラメータが中性の値を有するか又は別の所定の値を有する場合に固定ネットワークに向かい別々のプロトコルのいずれかを使用するように該インターワーキングファンクション装置を構成せず；そして
この指定されたインターワーキングファンクション装置(IWF)は、固定ネットワークから受信したコールのトラフィックチャンネルを監視し、発呼者により使用されるプロトコルを該使用されるプロトコルの信号特性に基づいて識別し、そしてその識別されたプロトコルを上記発呼者に向かって使用するように上記指定されたインターワーキングファンクションリソースを構成することを特徴とするインターワーキングファンクション装置。
【発明の詳細な説明】
発明の分野
本発明は、発呼者により使用されるプロトコルに関する情報を搬送するための信号サポートを伴わずに発呼者から固定ネットワークを経てコールを受け取ったときに移動通信ネットワークに移動着信コールを確立するための方法及び構成体に係る。
先行技術の説明
今日の移動通信システムは、標準的なスピーチ送信に加えて種々のデータ転送特徴を加入者に提供する。データサービスは、通常、移動ネットワーク内のある特定の通信プロトコルを使用する。パンヨーロピアンデジタル移動通信ネットワークＧＳＭ（移動通信用のグローバルシステム）においては、例えば、ＣＣＩＴＴ  Ｖ．１１０をベースとするＵＤＩコード化レート適応プロトコルが使用されるのに加えて、無線リンクプロトコル（ＲＬＰ）が非透過的サービスに使用される。移動ネットワークから、ＩＳＤＮ（サービス統合デジタル網）又は公衆交換電話ネットワークＰＳＴＮのような固定ネットワークへのデジタル接続は、異なる種類のプロトコルを使用することができる。このようなプロトコルの一例は、ＩＳＤＮネットワークのレート適応プロトコルＣＣＩＴＴ  Ｖ．１１０及びＶ．１２０である。
データ転送サービスに関連した重要な特徴は、移動ネットワーク内の内部データ接続を、ターミナル装置及び他のテレコミュニケーションネットワークに使用されるプロトコルに適応するための適応機能である。通常、これら適応機能は、移動ステーションと、これに接続されたデータターミナルとの間のインターフェイスにおけるターミナル適応ファンクションＴＡＦと；移動ネットワークと別のテレコミュニケーションネットワークとの間のインターフェイスにおけるインターワーキングファンクションＩＷＦとである。
移動ネットワークは、固定のテレコミュニケーションネットワークの最も一般的なデータ転送プロトコルをサポートする種々の種類の広範囲なデータサービスを提供することが期待される。従って、各データ転送プロトコルに対して個別のＩＷＦも必要とされる。移動ネットワークは、正しいＩＷＦを選択できるようにするためにターミナル装置が各コールにどのデータ転送プロトコルを使用したいかを知らねばならない。
移動発信コール（ＭＯＣ）においては、移動ステーションは、それが使用したいプロトコルに関する情報を固定ネットワーク及び被呼者に向かって信号する。例えば、ＧＳＭ移動通信システムでは、所望のプロトコルに関する情報は、設定メッセージのベアラ能力情報エレメント（ＢＣＩＥ）にある。この情報に基づいて、ＩＷＦは、移動ネットワークとテレコミュニケーションネットワークとの間に適当なインターワーキングファンクションを与えるように構成される。プロトコル情報の送信をサポートする信号が移動ネットワークと被呼者との間の全接続に使用される場合には、情報が被呼者にも送信される。必要な信号サポートは、例えば、ＩＳＤＮネットワーク（サービス統合デジタル網）に与えられる。このような信号サポートが与えられない場合には、正しいプロトコルの選択は、発呼加入者の責任となり、即ち発呼加入者は、被呼加入者のプロトコルを知って、それに応じてＩＷＦのプロトコルを選択しなければならない。信号サポートは、例えば、従来の公衆交換電話ネットワークＰＳＴＮでは使用できない。
移動着信コール（ＭＴＣ）は、更に問題である。必要な信号サポートが発呼者と移動ネットワークとの間の全接続に使用できる場合には、発呼加入者のプロトコルパラメータが移動ネットワークに送信され、移動ネットワークは、それに基づいてＩＷＦを構成する。しかしながら、実際には、信号サポートは、全接続に常に使用できるのではない。これは、例えば、コールがＰＳＴＮから発信されるか、又はＰＳＴＮを経てルート指定される場合である。信号サポートが使用できないときには、移動ネットワークは、コールに必要とされるプロトコルに関する情報を何らかの方法で得ることができねばならない。
この問題に対する公知の解決策は、マルチナンバリング機構であり、この場合に、移動加入者は、到来コールの受信を希望する種々のサービスと同数のディレクトリ番号（ＭＳＩＳＤＮ）を有する。マルチナンバリング機構によれば、発呼加入者は、希望するサービスに基づいて移動加入者のディレクトリ番号をダイヤルする。ＧＳＭシステムでは、加入者のサービスが加入者のホーム位置レジスタ（ＨＬＲ）において決定され、ここには他の加入者情報も永久的に記憶される。又、ＨＬＲは、ディレクトリ番号と加入者のサービスとの間のマッピングに関する情報を記憶するのにも使用される。ＨＬＲにおいては、コールの形式、並びにそのコールに必要とされるネットワークリソース及びプロトコルを指示する特定のＢＣＩＥエレメントも、移動加入者のＩＳＤＮ番号（ＭＳＩＳＤＮ）とリンクされる。ＩＷＦは、この情報に基づいて構成される。現在の推奨勧告によれば、加入者は、Ｖ．１１０プロトコルに対する個別のＭＳＩＳＤＮ番号と、Ｖ．１２０プロトコルに対する個別のＭＳＩＳＤＮ番号とを有する。
ネットワークオペレータ及び移動加入者にとって、このような膨大な数のサービスは、混乱やトラブルを引き起こす。移動加入者は、異なるプロトコルを必要とするコールを送出したり受け取ったりできるようにするために、ネットワークオペレータからの多数の異なるベアラサービスに加入しなければならない。これは、次いで、ネットワークオペレータの観点から、各ユーザが、ネットワークの番号スペースを浪費する複数のディレクトリ番号を必要とすることになるという問題を招く。更に、ネットワークデータベースにおいてサービスを決定することは、データベースの容量を消費する。従って、マルチナンバリング機構は、一応機能するが、充分な解決策ではない。
発明の要旨
本発明の目的は、信号サポートが与えられない場合に移動通信システムと固定ネットワークとの間のプロトコル適応を現在のマルチナンバリング機構に比して更に効率的なものにし、これにより、番号スペース及びデータベース容量を節約することのできる方法及び構成体を提供することである。
これは、発呼者によって使用されるプロトコルに関する情報を搬送する信号サポートを伴わずに発呼者から固定ネットワークを経てコールを受け取ったときに移動着信データコールを確立するための方法により達成される。この方法は、加入者のディレクトリ番号へのコールを受け取り、このディレクトリ番号は、固定ネットワークに向かう２つ以上の別々のプロトコルを用いるデータサービスに指定されるものであり；上記ディレクトリ番号にリンクされるサービス定義を加入者データから検索し、上記定義のプロトコルパラメータは、中性の値又は中性と解釈される値を有し；上記サービス定義に基づいてインターワーキングファンクションリソースを指定し、上記中性の値又は中性と解釈される値によりプロトコルの定義を削除し；上記指定されたインターワーキングファンクションリソースにより固定ネットワークから受信したトラフィックチャンネルを監視し；発呼者により使用されるプロトコルをその信号特性に基づいて識別し；そして上記発呼者に向かい上記識別されたプロトコルを使用するように上記指定されたインターワーキングファンクションを構成するという段階を含むことを特徴とする。
又、本発明は、発呼者によって使用されるプロトコルに関する情報を搬送する信号サポートを伴わずに発呼者から固定ネットワークを経てコールを受け取ったときに移動通信ネットワークに移動着信データコールを確立するための構成体を提供することにも関する。この構成体は、移動通信ネットワークの加入者データベースが、固定ネットワークに向かう２つ以上の別々のプロトコルを使用する加入者のデータサービスに対して定義された１つのディレクトリ番号を有し、上記ディレクトリ番号にリンクされるサービス定義のプロトコルパラメータは、中性の値又は中性と解釈される値を有し；移動ネットワークは、上記ディレクトリ番号へなされる移動着信コールにおいて、上記サービス定義に基づいてインターワーキングファンクション装置を指定するが、上記プロトコルパラメータの中性値又は中性と解釈される値により固定ネットワークに向かって使用されるプロトコルの構成を除去し；上記指定されたインターワーキングファンクション装置（ＩＷＦ）は、固定ネットワークから受信されるトラフィックチャンネルを監視し、発呼者（ＴＥ）により使用されるプロトコルをその信号特性に基づいて識別し、そして上記発呼者に向かい上記識別されたプロトコルを使用するようにそれ自身を構成することを特徴とする。
本発明の更に別の特徴は、発呼者によって使用されるプロトコルに関する情報を搬送する信号サポートを伴わずに発呼者から固定ネットワークを経てコールを受け取ったときに移動通信ネットワークと固定ネットワークとの間にプロトコルの適応を達成するためのインターワーキングファンクション装置を提供することである。このインターワーキングファンクション装置は、移動着信コールにおいて、加入者データベースから得たサービス定義に基づきインターワーキングファンクションリソースを指定するが、上記サービス定義のプロトコルパラメータが中性の値を有するか又は中性と解釈される値を有する場合に固定ネットワークに向かい使用されるプロトコルの構成を除去し；そしてこのインターワーキングファンクション装置は、固定ネットワークから受信したトラフィックチャンネルを監視し、発呼者により使用されるプロトコルをその信号特性に基づいて識別し、そしてその識別されたプロトコルを上記発呼者に向かって使用するように上記指定されたインターワーキングファンクションリソースを構成することを特徴とする。
本発明において、あるサービスには、そのサービスによって使用される全てのプロトコルに共通の１つのディレクトリ番号のみが指定される。このディレクトリ番号にリンクされるサービス定義において、プロトコル識別は、その値が中性（不定）であるか又は中性と解釈される。移動ネットワークのインターワーキングファンクション（ＩＷＦ）は、移動着信データコールの場合に、中性であるか又は中性と解釈されるプロトコル識別子を受信したときに、ラインへ切り換えられた後に、何らかのプロトコルに基づいてそれ自身を固定ネットワークに向けて同期しようと試みず、固定ネットワークから受信したトラフィックチャンネルを監視して、発呼側のターミナル装置により使用されるプロトコルを識別する。しかしながら、ＩＷＦは、移動ネットワーク内の内部データ接続を移動ステーションの方向に特定の仕方で同期する。発呼側ターミナル装置のプロトコルを識別した後に、ＩＷＦは、その識別されたプロトコルにより要求されるように動作し始める。データリンクを設定した後に、ＩＷＦは、トラフィックチャンネルの状態を通常の仕方で移動ステーションへ信号し、そしてデータ送信が開始される。
プロトコルの識別は、その同期又は信号特性を検出することに基づく。ＣＣＩＴＴ  Ｖ．１１０プロトコルは、Ｖ．１１０同期フレームによって識別される。Ｖ．１１０同期フレームを識別した後に、ＩＷＦは、それ自体、Ｖ．１１０同期フレームを固定ネットワークに送信し始める。又、ＣＣＩＴＴ  Ｖ．１２０プロトコルは、Ｖ．１２０フレームフラグにより識別され、これに加えて、リンク設定メッセージにより識別を確認することができる。Ｖ．１２０フレームフラグを識別した後に、ＩＷＦは、それ自体、そのフレームフラグを固定ネットワークに送信し始め、そしてリンク設定メッセージを識別した後に、メッセージ等を確認する。
【図面の簡単な説明】
以下、添付図面を参照して、本発明の好ましい実施形態を詳細に説明する。
図１は、本発明を適用できる移動通信システムを示す図である。
図２は、インターワーキングファンクション装置ＩＷＦが設けられた移動サービス交換センターの概略ブロック図である。
図３Ａは、固定ネットワークのターミナル装置から移動ステーションの非同期サービスのＭＳＩＳＤＮ番号へとなされた移動着信ＵＤＩコールにおけるコール確立の第１の部分を示す信号図である。
図３Ｂは、図３Ａに示されたコール確立のその後の部分を示す信号図で、ターミナル装置のプロトコルがＶ．１２０である場合を示す図である。
図３Ｃは、図３Ａに示されたコール確立のその後の部分を示す信号図で、ターミナル装置のプロトコルがＶ．１１０である場合を示す図である。
図４は、トラフィックチャンネルの監視と、ＩＷＦにより行われるプロトコルの識別とを示すフローチャートである。
好ましい実施形態の詳細な説明
本発明は、データサービスがＩＳＤＮ又はＰＳＴＮのような固定ネットワークに向かって２種類以上の異なるプロトコルを使用するような全てのデジタル移動通信システムに使用することができる。
本発明は、パンヨーロピアンデジタル移動通信システムＧＳＭ（移動通信用のグローバルシステム）及び他のＧＳＭベースのシステム、例えば、ＤＣＳ１８００（デジタル通信システム）及び米国のデジタルセルラーシステムＰＣＳ（パーソナルコミュニケーションシステム）におけるデータ送信の用途に特に良く適している。本発明は、ＧＳＭ移動通信システムについて以下に例示する。ＧＳＭシステムの構造及び動作は、当業者に良く知られており、そしてＥＴＳＩ（ヨーロピアン・テレコミュニケーションズ・スタンダーズ・インスティテュート）のＧＳＭ仕様書に規定されている。又、「移動通信用のＧＳＭシステム（GSM System for Mobile Communication）」、Ｍ．モーリ及びＭ．ポーテット、パライゼウ、フランス、１９９２年；ＩＳＢＮ  ２−９５０７１９０−０−７も参照する。
ＧＳＭシステムの基本的な構造が図１に示されている。ＧＳＭ構造体は、２つの部分、即ちベースステーションシステムＢＳＳ及びネットワークサブシステムＮＳＳで構成される。ＢＳＳ及び移動ステーションＭＳは、無線接続を経て通信する。ＢＳＳにおいて、各セルは、ベースステーションＢＴＳによりサービスされる。ベースステーションのグループは、ベースステーションコントローラＢＳＣに接続され、その目的は、ＢＴＳにより使用される無線周波数及びチャンネルを制御することである。ＢＳＣは、移動サービス交換センターＭＳＣに接続される。特定のＭＳＣは、ＰＳＴＮのような他のテレコミュニケーションネットワークに接続され、そしてこれらネットワークへの及びこれらネットワークからのコールに対するゲートウェイファンクションを含む。これらＭＳＣは、ゲートウェイＭＳＣ（ＧＭＳＣ）として知られている。
コールのルート指定に関連した２つの主たるクラスのデータベースがある。ホーム位置レジスタＨＬＲは、ネットワークの全ての加入者の加入者データを永久的又は半永久的に記憶し、このデータは、加入者がアクセスできるサービスに関する情報、及び加入者の現在位置に関する情報を含む。第２のレジスタ形式は、ビジター位置レジスタＶＬＲである。ＶＬＲは、通常は、１つのＭＳＣに関連するが、多数のＭＳＣにサービスすることもできる。ＶＬＲはＭＳＣに統合されるのが一般的である。統合されたネットワークエレメントは、ビジターＭＳＣ（ＶＭＳＣ）として知られている。移動ステーションＭＳがアクティブである（登録されて、コールを発したり受けたりできる）ときは、ＨＬＲに記憶されたＭＳに関する移動加入者情報の大部分が、ＭＳが位置するサービスエリアの特定のＭＳＣのＶＬＲへコピーされる。
更に、図１を参照すれば、データリンクは、ＧＳＭシステムでは、移動ステーションＭＳのネットワークターミナルＴＡＦ（ターミナル適応ファンクション）３１と、移動通信ネットワークのネットワークアダプタＩＷＦ（インターワーキングファンクション）４１との間に確立される。ＧＳＭネットワークでは、データ転送におけるデータリンクは、Ｖ．１１０レート適応されたＶ．２４インターフェイス対応のＵＤＩコード化デジタル全二重接続である。この接続では、Ｖ．１１０接続は、ＩＳＤＮ（サービス統合デジタル網）に対して最初に開発されたデジタル送信チャンネルである。この送信チャンネルは、Ｖ．２４インターフェイスに適応し、又、Ｖ．２４状態（制御信号）の転送を可能にする。Ｖ．１１０レート適応接続に対するＣＣＩＴＴ推奨勧告は、推奨勧告ＣＣＩＴＴブルーブック：Ｖ．１１０に規定されている。Ｖ．２４インターフェイスに対するＣＣＩＴＴ推奨勧告は、ＣＣＩＴＴブルーブック：Ｖ．２４に開示されている。非透過的データサービスにおいては、無線リンクプロトコルＲＬＰも使用される。ターミナルアダプタＴＡＦは、１つ以上のトラフィックチャンネルを用いて物理的接続を経て確立されるＶ．１１０接続に対しＭＳに接続されるデータターミナル装置ＤＴＥを適応させる。ＩＷＦは、ＧＳＭのＶ．１１０接続を別のＶ．１１０又はＶ．１２０ネットワーク、例えば、ＩＳＤＮ又は別のＧＳＭネットワークに接続するか、或いは別のトランシットネットワーク、例えば、公衆交換電話ネットワークＰＳＴＮに接続する。Ｖ．１２０レート適応接続のＣＣＩＴＴ推奨勧告は、推奨勧告ＣＣＩＴＴホワイトブック：Ｖ．１２０に規定されている。
上記で述べたように、近代的な移動通信システムは、異なる種類のテレサービス及びベアラサービスをサポートする。ＧＳＭシステムのベアラサービスは、ＧＳＭ仕様書０２．０２、バージョン４．２．０に規定され、そしてテレサービスは、ＧＳＭ仕様書０．０．３、バージョン４．３．０に規定されている。
ネットワークアダプタＩＷＦは、ＭＳＣにしばしば配置される。図２は、ＭＳＣに配置されて、ＰＳＴＮへの適応、及びＩＳＤＮネットワークのデータサービスを行うネットワークアダプタ装置を示す。ＰＳＴＮ、ＩＳＤＮ  ３．１ｋＨｚ音声サービス又は別のＧＳＭネットワークに適応するために、ＩＷＦは、レートアダプタも含む基本帯域データモデム４１Ａのグループを備えている。このモデム４１Ａは、ＧＳＭシステムによりサポートされる３００ないし９６００ビット／ｓのいかなるデータレートもハンドシェークすることができ、又はＨＳＣＳＤデータサービスの場合には、１４．４ないし２８．８ｋビット／ｓの更に高い転送レートもハンドシェークすることができる自動ボー設定のモデムである。データモデム４１Ａは、例えば、アナログＰＳＴＮを経て固定ネットワークのデータターミナルＴＥへ又はＩＳＤＮネットワークへ３．１ｋＨｚ音声サービスを伴うデータ接続が必要とされるときに使用される。このような場合に、アナログモデム接続の他端にも同様のデータモデムが存在する。いかなる必要数のデータモデムがあってもよいが、図２は、明瞭化のために１つのモデム４１Ａしか示していない。モデム４１Ａのアナログ側は、交換機ターミナルＥＴを経て接続され、そしてデジタル側は、ＭＳＣのグループスイッチＧＳＷ２１に直結される。更に、交換機ターミナルを経てベースステーションシステムＢＳＳに送信されるデジタル転送リンクは、グループスイッチ２１に接続される。更に、交換機ターミナルＥＴを経て、ＩＳＤＮ又はＰＳＴＮのような他のテレコミュニケーションネットワークの送信チャンネルがグループスイッチ２１に接続される。図２のインターワーキングファンクション装置ＩＷＦは、更に、ＩＳＤＮネットワークの非制限デジタルインフォメーションサービスＵＤＩに適応するために、レートアダプタを含むデータインターフェイスユニットＤＩＵ  ４１Ｂを備えている。このＤＩＵは、ＧＳＭデータコールにおいては、ＩＳＤＮからのＶ．１１０又はＶ．１２０プロトコルに基づくレート適応されたユーザデータ並びにＶ．１１０又はＶ．１２０プロトコルに基づく状態及び制御情報をＧＳＭトラフィックチャンネルに適応させ、そして逆方向においては、ＧＳＭトラフィックチャンネルからのユーザデータ並びに状態及び制御情報をＩＳＤＮのＶ．１１０及びＶ．１２０フレーム構造に適応させる。ＤＩＵ  ４１ＢのＩＳＤＮ側は、交換機ターミナルＥＴを経て接続され、そしてＧＳＭ側は、グループスイッチＧＳＷ２１に直接接続される。図２には１つのＤＩＵ  ４１Ｂしか示されていないが、容量の要求に基づいていかなる数のＤＩＵがあってもよい。グループスイッチＧＳＷ２１及びインターワーキングファンクション装置ＩＷＦ、並びにデータコールの確立、維持及び解除は、全て、コールコントローラ４２によって制御される。ＩＷＦの動作はＩＷＦコントロールユニット４１Ｃにより制御され、このユニットは、コールコントローラ４２の制御のもとで、データ接続への特定のデータコールにより使用されるベアラサービスに必要とされるネットワークアダプタ、即ちモデム４１Ａ又はＤＩＵ  ４１Ｂを接続する。図２において、実線は、モデム４１Ａの接続を��し、そして破線は、ＤＩＵ  ４１Ｂの接続を示す。このようなネットワークアダプタ装置を含む移動サービス交換センターの例として、ノキアテレコミュニケーション社のＤＸ２００  ＭＳＣを挙げることができる。
上記したように、移動加入者は、従来、別々のディレクトリ番号ＭＳＩＳＤＮを各々有する異なるテレサービス及びベアラサービスを利用することができる。換言すれば、各加入者は、多数のＭＳＩＳＤＮ番号を有していた。更に、加入者のＨＬＲにおける各加入者の各テレサービス及びベアラサービスを他の加入者データに関連して決定し、そしてそれらをＶＬＲへ転送することが必要であった。加入者データにおいては、各ＭＳＩＳＤＮ番号がＧＳＭシステムのＢＣＩＥ値に直接関連されるか、又はＢＣＩＥ値のチャートを指すインデックスにより関連される。ＢＣＩＥは、転送レートやデータ及び終了ビットの数といったコールに関わるた全てのネットワーク要件に関する情報を転送するためにＧＳＭシステムにより使用される情報エレメントである。ＢＣＩＥは、例えば、ＧＳＭ仕様書０４．０８、バージョン４．５．０、第４２３−４３１ページに記載されている。
本発明においては、あるサービスには、そのサービスによって使用される全てのプロトコルに共通な１つのディレクトリ番号ＭＳＩＳＤＮのみが指定される。このＭＳＩＳＤＮ番号にリンクされたサービス定義は、他の加入者データと共にＨＬＲに記憶される。このサービス定義では、ＧＳＭ  ＢＣＩＥがＭＳＩＳＤＮ番号にリンクされる。ＧＳＭ  ＢＣＩＥにおいては、ＧＳＭ  ＢＣＩＥのレート適応プロトコルを決定するパラメータＲＡ（レート適応）が、中性（未定）の値を有するか、又は中性と解釈できる値を有する。現在、パラメータＲＡは、次のケース、即ちレート適応なし、Ｖ．１１０／Ｘ．３０レート適応、Ｘ．３１フラグスタッフィング、Ｖ．１２０を決定することができる。更に、本発明によって中性値として１つの選択できるところの自由な値が存在する。パラメータＲＡの中性値は、ここでは、一般に、ＩＷＦに対してプロトコルを定義しない値を指すが、その結果、ＭＳＣ／ＩＷＦは、トラフィックチャンネルからの固定ネットワークのターミナル装置のプロトコルを識別しようと試みる。又、ＭＳＣ／ＩＷＦは、Ｖ．１１０及びＶ．１２０のようなＲＡパラメータの特定の値を中性として解釈するように構成することもできる。
ＩＷＦは、着信するデータコールに関連して、ＲＡパラメータの中性値、又は中性値と解釈される値を得るときに、固定ネットワークからのトラフィックチャンネルを監視することにより発呼側のターミナル装置に使用されるプロトコルを識別するまでは、ラインへの切り換えの後にプロトコルに基づいて動作するように試みない。
以下、本発明によるＭＴコールの確立を、図３Ａ−Ｃ及び４を参照して説明する。この例において、サービスは、非同期のＵＤＩサービスであり、サービスにより使用される異なるプロトコルは、Ｖ．１１０及びＶ．１２０である。しかしながら、本発明は、これらのプロトコルに限定されるものではなく、一般的に、いかなるプロトコルにも適用できる。
図３Ａ−Ｃの信号図は、移動着信（ＭＴ）ＵＤＩコールが固定ターミナル装置ＴＥから移動加入者のＭＳＩＳＤＮ番号へとなされ、この番号は加入者の非同期データサービスに指定されたものである例示的なケースに関連している。このようなケースにおいて、コールは、ＩＳＤＮネットワークから移動ターミナルにおいて受け取られるが、信号サポートは、プロトコル情報を送信するために移動ネットワークとターミナル装置ＴＥとの間の全接続において使用できない。コール確立の第１の部分が図３Ａに示されており、これは、両プロトコルについて同様である。図３Ｂ及び３Ｃは、ターミナル装置ＴＥがＶ．１２０プロトコル及びＶ．１１０プロトコルを各々使用するケースにおけるコール確立のその後の部分を示す。
図３Ａにおいて、ＩＡＭメッセージ（初期アドレスメッセージ）は、移動加入者の非同期サービスのディレクトリ番号ＭＳＩＳＤＮへなされるコールにおいてＩＳＤＮネットワークから移動ネットワークのゲートウェイＭＳＣ（ＧＭＳＣ）へ送信される。ＧＭＳＣは、ルート情報要求（Send Routing Info）を、被呼ＭＳＩＳＤＮに基づいて決定された加入者のＨＬＲへ搬送する。ルート情報要求と共に、加入者のＭＳＩＳＤＮ番号も送信される。ＨＬＲは、加入者データから、被呼ディレクトリ番号ＭＳＩＳＤＮにリンクされたＧＳＭ  ＢＣＩＥを検索する。
このＧＳＭ  ＢＣＩＥにおいて、パラメータＩＴＣ（情報転送容量）は、値ＵＤＩを有し、そしてパラメータＲＡは、中性値又は中性と解釈される値、例えば、Ｖ．１１０を有する。次いで、ＨＬＲは、上記ＧＳＭ  ＢＣＩＥを含むローミング番号要求「ＭＳＲＮ供給」をＶＬＲに送信する。ＶＬＲは、ＧＳＭ  ＢＣＩＥを記憶し、そしてコールにローミング番号ＭＳＲＮを割り当てる。ＭＳＲＮは、ＨＬＲに送られ、ＨＬＲはそれをＧＭＳＣへ送る。ＧＭＳＣは、ローミング番号ＭＳＲＮに基づいて、移動加入者ＭＳが位置するエリアのＭＳＣにコールをルート指定する。次いで、ＭＳＣは、ローミング番号ＭＳＲＮに基づいて移動着信コールを確立するためにＶＬＲから情報を要求する。ＭＳＲＮに基づいて、ＶＬＲは、ＨＬＲから既に受け取られたＢＣＩＥを検索し、そしてそれをＭＳＣに返送する。これに続いて、ＭＳＣは、ＧＳＭ  ＢＣＩＥも含むコール設定メッセージ「設定」をＭＳに送信する。ＭＳは、「コール確認」メッセージで応答する。その後、ＭＳＣは、「指定要求メッセージ」で必要な無線チャンネルを指定するようにＢＳＳに要求し、そしてＢＳＳは、「指定完了」メッセージで確認する。その後、ＭＳＣは、ＶＬＲから得たＧＳＭ  ＢＣＩＥも含む「ＩＷＦ設定」メッセージをＩＷＦに送信することにより必要なＩＷＦリソースを割り当てる。この段階において、図４のブロック図で示すように、本発明によるＩＷＦの動作が始まる。
図４のステップ５１において、ＩＷＦ制御ユニット４１Ｃ（図２）は、ＭＳＣのコールコントローラ４２から、ＢＣＩＥを含む設定メッセージを受け取る。ＩＷＦ制御ユニット４１Ｃは、ＢＣＩＥを分析し、そしてＩＴＣがＵＤＩであることを検出した際に、コールにＤＩＵ  ４１Ｂを指定する。更に、ＩＷＦは、ＲＡパラメータの値をチェックする（ステップ５２）。ＲＡパラメータの値が中性であるか、又は例えば、Ｖ．１１０又はＶ．１２０のように中性として解釈できるものである場合には、ＩＷＦ制御ユニットは、いかなるプロトコルに対しても、ＤＩＵ  ４１Ｂを構成せず、固定ネットワークから受信したトラフィックチャンネルを監視する準備を行う（ステップ５４）。ステップ５２において、ＲＡパラメータの値が中性以外のものであるか又は中性とは解釈できないことが検出された場合には、ＩＷＦ制御ユニット４１Ｃは、パラメータＲＡにより決定されるプロトコルに基づいてＤＩＵ  ４１Ｂを構成する（５３）。再び、図３を参照すれば、ＩＷＦは、メッセージ「確認」でリソースの割り当てを確認する。ＭＳは、発呼加入者の警告が開始されたことをメッセージ「警告」で報告する。次いで、ＮＳＣは、固定ネットワークの発呼側ターミナルＴＥに、接続が確立されたことを示すメッセージ「アドレス完了」を送信する。次いで、ＭＳＣは、被呼加入者がコールを受け入れることを示すメッセージ「接続」を送信し、その結果、ＭＳＣは、メッセージ「応答信号」を発呼側のターミナル装置ＴＥに送信する。次いで、ＭＳＣは、メッセージ「デバイスオンライン」でＩＷＦを制御する。従って、図４に示すように、本発明によりＩＷＦの動作に復帰する。
再び、図４を参照すれば、ＩＷＦ制御ユニット４１Ｃ（図２）は、ＭＳＣのコールコントローラ４２からメッセージ「デバイスオンライン」を受け取り、その結果、図２に破線で示すように、ＧＳＷ２１  ＢＳＳから受信したトラフィックチャンネルとＰＳＴＮから受信したトラフィックチャンネルとの間にＤＩＵ  ４１Ｂを接続する。その後、ＩＷＦの動作は、図４のフローチャートに基づいて続けられる。
図４を参照すると、ＩＷＦがラインに接続された後に、ＧＳＭトラフィックチャンネルの同期がＴＡＦとＩＷＦとの間で通常の仕方でとらえ、そしてＩＷＦ制御ユニット４１Ｃは、ＤＩＵ  ４１Ｂにより固定ネットワークから受け取ったトラフィックチャンネルを監視し始める。従って、ＤＩＵ  ４１Ｂは、１ビットのストリングを固定ネットワークの方向にトラフィックチャンネルに送信することができる。というのは、この手順は、発呼側のターミナル装置ＴＥがＶ．１１０プロトコルを使用するか、Ｖ１２０プロトコルを使用するかに関わりなく同じだからである（ステップ５６）。その結果、ＩＷＦ制御ユニット４１Ｃは、ターミナル装置ＴＥから受け取った信号が、Ｖ．１２０プロトコルの典型であるフレームフラグ、即ちＨＤＬＣフラグ０１１１１１１０を含むかどうかをチェックする（ステップ５７）。もしそうであれば、その後は、図３Ｂに従って信号が送られる。
ＩＷＦは、ＨＤＬＣフラグを固定ネットワークのターミナル装置ＴＥへ送信する（図４のステップ５８）。ＨＤＬＣフラグの送信は、Ｖ．１２０以外のプロトコルの一部分でよいので、ＩＷＦ制御ユニット４１Ｃは、本発明の好ましい実施形態では、Ｖ．１２０プロトコルの特徴であるデータリンク設定メッセージがターミナル装置ＴＥから受信されたかどうかチェックする（ステップ５９）。データリンク設定メッセージが受信された場合には、ＩＷＦ制御ユニット４１Ｃが、Ｖ．１２０プロトコルを使用するようにＤＩＵ  ４１Ｂを構成し、そしてＩＷＦは、Ｖ．１２０プロトコルに必要とされる仕方で固定ネットワークの方向に動作を開始する（ステップ６０）。これは、データリンク設定メッセージに対する確認をターミナル装置ＴＥへ送信することを含む。その後に、ＩＷＦは、通常のトラフィックチャンネル状態をＮＳに信号し、そしてデータ転送を開始することができる（ステップ６４）。
データリンク設定メッセージがステップ５９において受信されない場合には、プロトコルの識別が、本発明のこの実施形態では、失敗とみなされ、終了へと進む。
ＨＤＬＣフラグが図４のステップ５７において受信されない場合には、ＩＷＦ制御ユニット４１Ｃは、固定ネットワークから受信した信号がＶ．１１０同期フレームを含むかどうかチェックする（ステップ６１）。Ｖ．１１０同期フレームが受信された場合には、図３Ｃについて述べたように信号が送られる。換言すれば、Ｖ．１１０同期フレームによりＶ．１１０プロトコルを識別した後に、ＩＷＦ制御ユニット４１Ｃは、その識別されたＶ．１１０プロトコルに基づいてＤＩＵ  ４１Ｂを構成する。その後、ＩＷＦは、Ｖ．１１０同期フレームをターミナル装置ＴＥに対して固定ネットワークへ送信する（図４のステップ６２）。次いで、ＩＷＦは、ターミナル装置ＴＥの方向にＶ．１１０プロトコルに基づいて動作を継続し（ステップ６３）、そしてＶ．２４状態を使用することにより通常の仕方でＭＳへトラフィックチャンネルの状態を信号する（ステップ６４）。
ステップ６１において、Ｖ．１１０フレームが受信されない場合には、プロトコル識別がこの実施形態において失敗と解釈され、終了へと進む。
添付図面及びそれを参照した以上の説明は、本発明を単に例示するものに過ぎない。本発明は、請求の範囲内でその細部に種々の変更がなされ得る。
【図１】
0003727068.tif 000002
【図２】
0003727068.tif 000003
【図３Ａ】
0003727068.tif 000004
【図３Ｂ】
0003727068.tif 000005
【図３Ｃ】
0003727068.tif 000006
【図４】
0003727068.tif 000007